(57)【要約】【課題】身体から放出される放射熱をアルミホイル等輻射熱に対して高反射率の素材によって、再び身体に反射させることにより、頭部以外の身体が暖かさを感じることができる輻射熱反射構造を提供する。【解決手段】身体から放出される輻射熱を反射させることにより身体を暖める輻射熱反射構造１であって、机９及び椅子１０に対する床面１１、当該机９の下側に形成される足挿入部３内、及び当該椅子１０の周辺にアルミホイル等輻射熱に対して高反射率の素材２によって作成されたシートやパネルを用いた輻射熱反射構造１を構成する。【選択図】図１
2018114191.tif 000002
【特許請求の範囲】
【請求項１】
輻射熱を反射させることにより身体を暖める輻射熱反射構造であって、
机及び椅子に対する床面並びに当該机の下側に形成される足挿入部にアルミホイル等輻射熱に対して高反射率の素材を取付けると共に、当該足挿入部内に暖房装置を備えたことを特徴とする輻射熱反射構造。
【請求項２】
輻射熱を反射させることにより身体を暖める輻射熱反射構造であって、
机及び椅子に対する床面にアルミホイル等輻射熱に対して高反射率の素材を取り付け、
当該机の下側に形成される足挿入部内には、暖房装置及び当該アルミホイル等輻射熱に対して高反射率の素材が片面又は両面に取付けられたパネルを用いて形成された机下反射パネルが設置され、当該机下反射パネル内に暖房装置を備えたことを特徴とする輻射熱反射構造。
【請求項３】
前記椅子の周辺には、片面又は両面に前記アルミホイル等輻射熱に対して高反射率の素材を用いた背面反射パネルを備えたことを特徴とする請求項１又は２に記載の輻射熱反射構造。
【請求項４】
前記アルミホイル等輻射熱に対して高反射率の素材には、空気を取り込むための吸気孔を備えたことを特徴とする請求項１又は２に記載の輻射熱反射構造。
【請求項５】
前記床面に取付けられた前記アルミホイル等輻射熱に対して高反射率の素材は、人工芝又はカーペットが積層された床反射シートであることを特徴とする請求項１又は２に記載の輻射熱反射構造。
【請求項６】
前記机下反射パネル又は前記背面反射パネルには、プリント層又はビニールクロス等内装材を備えたことを特徴とする請求項２又は３に記載の輻射熱反射構造。
【発明の詳細な説明】
【技術分野】
【０００１】
本発明は、輻射熱の反射を利用することにより、身体を暖かく感じさせる輻射熱反射構造に関するものである。
【背景技術】
【０００２】
従来より、冬場の環境では、勉強や仕事の効率化を実現させるために、頭部の付近を寒く、足元を暖かくする、いわゆる頭寒足熱の環境が適していると言われている。
【０００３】
炬燵のみの環境ではこのような環境を作ることは出来るが、近年ではエアコンやストーブも使用することが多い。そのため、例えば、エアコンで広い部屋を暖めようとすると、対流熱は浮力により熱移動するので、暖かい空気は上方に、冷たい空気は下方に移動して、頭寒足熱の環境を作り出すことができない。これは、炬燵が局所暖房であるのに対し、部屋全体を暖めようとする全館暖房型の生活に移行していることに起因するものである。
【０００４】
又、近年、遠赤外線ヒーターも使用されるようになってきた。遠赤外線は、直進性があるため、遠赤外線ヒーターを足元周辺におけば足が暖かくなり、頭寒足熱の環境が作れるとも思える。しかし、ヒーターに面している側は暖かく感じられるものの、その反対側は寒い環境となり満足する暖かさを得られない。また、大容量のヒーターを設置すれば室内全体が暖まるが、火災の懸念もある。
【０００５】
ここで、その遠赤外線を利用した考案が開示されている（特許文献１）。本考案は、アルミニウム合金等の板材で作製されたキャビネットの内側５面に遠赤外線放射する面状発熱シートを取り付け、机の下側にそのキャビネットを置くことによって局所暖房を行うパーソナル暖房装置である。
【０００６】
この暖房装置を使用すれば、頭部の付近を寒く、足元全体を暖かくする頭寒足熱の環境を作り出すことができる。更に、火災の心配もなく、特に冬場の環境では、勉強や仕事の効率化を実現できる。
【先行技術文献】
【特許文献】
【０００７】
【特許文献１】登録実用新案第３１２１７０２号
【発明の概要】
【発明が解決しようとする課題】
【０００８】
特許文献１の暖房装置は、簡易な方法で頭寒足熱の環境を作り出すことができる点で優れている。しかしながら、最適な頭寒足熱の環境を作り出すためには、室内の上部を極力涼しく、室内の下部を暖かくすることにより、頭部以外の身体を暖かく感じさせることが最も重要なポイントである。そのためには、輻射熱等の反射率が高い素材で身体の周囲全体を囲う必要がある。
【０００９】
特許文献１の暖房装置によって、足元全体は遠赤外線放射する面状発熱シートにて暖められる。しかし、上半身は、その暖房装置が設置されていないため寒くなる。そのため、特許文献１の暖房装置は、最適な頭寒足熱の環境を作り出すことができない欠点がある。
【００１０】
又、特許文献１の暖房装置におけるアルミニウム合金等の厚みは２〜３ミリメートルであるため（００２８参照）、輻射熱を有効に反射させる機能は大きくないと考えられる。ましてやアルミニウム合金は、輻射熱を吸収する割合が多くなるので、近くに寄ると却って寒さを感じさせる欠点もある。
【００１１】
そこで、本発明は、前述した課題を解決するためになされたものであり、特に、アルミホイル等輻射熱に対して高反射率の素材を用いて、輻射熱を反射させることにより、最適な頭寒足熱の環境を作り出して、勉強や仕事の効率化を実現させる輻射熱反射構造の提供を目的としたものである。
【００１２】
ここで、本発明で使用されるアルミホイル等輻射熱に対して高反射率の素材は、輻射熱を反射する素材であるが、その輻射熱に対する反射率が９５パーセント以上のものが使用される。また、その厚みは７〜８ミクロンである。
【課題を解決するための手段】
【００１３】
本発明は、輻射熱を反射させることにより身体を暖める輻射熱反射構造であって、机及び椅子に対する床面並びに当該机の下側に形成される足挿入部にアルミホイル等輻射熱に対して高反射率の素材を取付けると共に、当該足挿入部内に暖房装置を備えたことを特徴とする。
【００１４】
また、本発明は、輻射熱を反射させることにより身体を暖める輻射熱反射構造であって、机及び椅子に対する床面にアルミホイル等輻射熱に対して高反射率の素材を取り付け、当該机の下側に形成される足挿入部内には、暖房装置及び当該アルミホイル等輻射熱に対して高反射率の素材が片面又は両面に取付けられたパネルを用いて形成された机下反射パネルが設置され、当該机下反射パネル内に暖房装置を備えたことを特徴とする。
【００１５】
また、本発明は、記椅子の周辺には、片面又は両面に前記アルミホイル等輻射熱に対して高反射率の素材を用いた背面反射パネルを備えたことを特徴とする。
【００１６】
また、本発明は、前記アルミホイル等輻射熱に対して高反射率の素材には、空気を取り込むための吸気孔を備えたことを特徴とする。
【００１７】
また、本発明は、前記床面に取付けられた前記アルミホイル等輻射熱に対して高反射率の素材は、人工芝又はカーペットが積層された床反射シートであることを特徴とする。
【００１８】
また、本発明は、前記机下反射パネル又は前記背面反射パネルには、プリント層又はビニールクロス等内装材を備えたことを特徴とする。
【発明の効果】
【００１９】
本発明の輻射熱反射構造は、頭部以外の身体を暖かく感じさせる環境、すなわち最適な頭寒足熱の環境を実現させて、特に、冷え症の人や女性に対し勉強や仕事の効率化を図ることができるという効果を奏する。
【図面の簡単な説明】
【００２０】
【図１】本発明の第１実施形態に係る輻射熱反射構造を示す斜視図である。
【図２】本発明の第２実施形態に係る輻射熱反射構造を示す斜視図である。
【図３】本発明の第２実施形態に係る輻射熱反射構造における机下反射パネルの斜視図である。
【図４】本発明の第３実施形態に係る輻射熱反射構造を示す斜視図である。
【図５】本発明の第３実施形態に係る輻射熱反射構造における背面反射パネルの他の例を示す斜視図である。
【図６】本発明の第４実施形態に係る輻射熱反射構造を示す斜視図である。
【図７】本発明の第５実施形態に係る輻射熱反射構造における床反射シートの断面図である。
【図８】本発明の第６実施形態に係る輻射熱反射構造における第１の背面反射パネルの断面図である。
【図９】本発明の第６実施形態に係る輻射熱反射構造における第２の背面反射パネルの断面図である。
【発明を実施するための形態】
【００２１】
以下に、本発明の輻射熱反射構造の実施形態を各図面に基づいて詳細に説明する。なお、以下の説明において、特に言及がない限り、図１等に示すように、机に対して垂直方向を上側及び下側、その長手方向を左側及び右側と、その短手方向を前側及び後側とする。
【００２２】
本発明の実施形態に係る輻射熱反射構造１（以下、「輻射熱反射構造１」とする）は、特に、冬場、勉強や仕事をする際に使用されるものであって、頭寒足熱の環境を作り出し、その勉強や仕事をはかどらすために用いられるものである。
【００２３】
そこで、まず、輻射熱反射構造１の概要を説明する。
【００２４】
例えば、遮熱材を円筒形状にしたハンドウォーマーに手を入れると、手全体が暖かくなる。これは、手から無方向に放射された輻射熱が円筒形の筒の表面にて次々に反射して、再び手全体に輻射熱が照射されるためである。
【００２５】
本発明の輻射熱反射構造１は、この考え方を応用したものある。すなわち、椅子に座った人間全体を輻射熱が反射する素材で頭部以外を囲む。そうすると、身体全体から無方向に放射された輻射熱がその素材の表面にて次々に反射される。それにより、再び頭部以外の身体に輻射熱が照射されて、頭部以外の身体を暖かく感じさせる構造となっている。
【００２６】
輻射熱反射構造１は、特に床面に輻射熱を反射させる素材が直貼りされていることが特徴であり、暖めづらい足裏を容易に暖かく感じさせて、特に下半身を芯から暖かく感じさせることができる。
【００２７】
ただ、このような構造であっても、身体から放射される輻射熱は僅かな隙間から逃げることもあり、予想以上に体が暖まらないこともある。そこで、このような場合であっても、足元に小型の暖房装置を設置することにより、その暖かさを助長させる。
【００２８】
すなわち、その暖房装置よって、周囲の空気が暖められ、対流熱を発生させて身体周囲を温度上昇させるので、身体全体が暖かみを感じることができる。
【００２９】
〔第１実施形態〕
次に、本発明の輻射熱反射構造１の第１実施形態を図１に基づいて詳細に説明する。図１は、第１実施形態に係る輻射熱反射構造を示す斜視図である。
【００３０】
＜輻射熱反射構造１＞
図１に示すように、本輻射熱反射構造１は、机９の下側に形成された足挿入部３内の上側、左右側、前側の４面にアルミホイル等輻射熱に対して高反射率の素材２（以下、「高反射率の素材２」とする）を取付け、その足挿入部３内に小型の暖房装置４が設置される。また、机９の床面１１からその机９に付属する椅子１０周辺の床面１１まで直貼りで高反射率の素材２が敷き詰められる。
【００３１】
本輻射熱反射構造１は、足裏を含め下半身全体を満遍なく覆うように高反射率の素材２が取付けられている。そのため、下半身から放射された輻射熱が、高反射率の素材２の表面にて次々に反射し、その反射された輻射熱が再び足裏を含め下半身全体に照射されて、特に下半身全体を暖かく感じさせることができる。
【００３２】
このように、本輻射熱反射構造１は、適切な頭寒足熱の環境を作り出し、特に足の冷え性の人や女性に対しても、勉強や仕事の効率化を図ることができる。
【００３３】
＜高反射率の素材２＞
高反射率の素材２は、通常、不織布や樹脂シートの片面、又は両面に貼った遮熱材として使用される素材である。その関係上、その厚さは０．２〜８ミリメートルである。本発明の場合、高反射率の素材２を床面１１に直貼りで取付ける。そのため、人間の体重や椅子の重み等荷重がかかること、椅子１０を移動するたび摩擦力も加わることを考慮すると、その厚さは５〜１５ミクロンが好ましく、７〜８ミクロンが最も好ましい。
【００３４】
また、高反射率の素材２における足挿入部３内、及び床面１１への取付け方法は、接着剤や両面テープを用いても良いが特に限定されない。
【００３５】
高反射率の素材２は、アルミホイルからなるが、これに限定されず、例えば、の金や銀等の貴金属であってもよい。アルミニウムの純度が高いほど輻射熱を反射しやすくなるので、少なくとも純度が９５％以上、より具体的には９９．５％のものを使用する。
【００３６】
また、輻射熱に対する反射率が高いほど遮熱効果を得ることができる。そのため、少なくとも輻射熱に対する反射率が９０％以上、より具体的には９５〜９８％のものを使用する。このことから、本発明でいう「高反射率」とは、輻射熱に対する少なくとも９０％以上の反射率をいう。
【００３７】
＜足挿入部３＞
足挿入部３は、机の下側に形成されて、足が挿入される四角形状の空間である。足挿入部３は、通常、例えば、リビングやダイニングに用いられるテーブルにも形成されるが、その目的からオフィス用又は勉強用である矩形状の机に形成される四角形状の空間を指している。そして、本輻射熱反射構造１では、高反射率の素材２が足挿入部３に形成される上側、左右側、前側の４面に取付けられる。
【００３８】
＜暖房装置４＞
暖房装置４は容量の小さい小型の装置であり、具体的には約３０〜１５０ワットの温足器である。このようなに小型の暖房装置のみを使用するので、エアコンを使用するよりも大幅な電気代の節約や電気エネルギーの減少を実現することができる。なお、暖かさを感じるのは個人差があるので、使用電力が調整できる暖房装置がより好ましい。
【００３９】
〔第２実施形態〕
次に、本発明の輻射熱反射構造１の第２実施形態を図２及び図３に基づいて詳細に説明する。図２は、第２実施形態に係る輻射熱反射構造の斜視図、図３は、第２実施形態に係る輻射熱反射構造における机下反射パネル５の斜視図である。なお、以降の説明では上記実施形態と異なる構成について説明し、同じ構成については、同一符号を付して、その説明を省略する。
【００４０】
＜輻射熱反射構造１＞
図２に示すように、本輻射熱反射構造１は、机９の下側に形成された足挿入部３内に、躯体の片面（足側の面）に高反射率の素材２が取付けられた机下反射パネル５を設置すると共に、その机下反射パネル５内に小型の暖房装置４が設置される。そして、上記実施形態と同様に、床面１１に直貼りで高反射率の素材２が取付けられる。
【００４１】
本輻射熱反射構造１は、例えば、足挿入部３に高反射率の素材２を取り付けるための面がない場合、又はその足挿入部３が広すぎて輻射熱の反射の効果が適切に得られ難い場合に用いられる。このような構造であるため、本輻射熱反射構造１は、第１実施形態の輻射熱反射構造１と同様の作用・効果を得ることができる。
【００４２】
＜机下反射パネル５＞
図３に示すように、机下反射パネル５は、木製、樹脂製又は金属製の部材５ａのいずれかで作製された躯体の片面（又は両面）に高反射率の素材２が取り付けられて形成される。また、これらの部材５ｂの他、片面又は両面に高反射率の素材２が取り付けられた樹脂製ボードを使用してもよい。
【００４３】
ここで、本輻射熱反射構造１はその高反射率の素材２の反射を利用するものである。そのため、樹脂製ボード又は躯体の片面にのみ高反射率の素材２を取り付ける場合、できるだけ身体に多くの輻射熱が照射されるように、図３に示すように、高反射率の素材２を躯体の足側の面に取付けることが特に重要である。
【００４４】
また、机下反射パネル５は、矩形状の足挿入部３内に設置して使用されるため、少なくともその大きさは足挿入部３より小さい矩形状となっているが、この形状に限定されるものではない。
【００４５】
高反射率の素材２によって、照射された輻射熱の量の大半、即ち、熱量の大半をそのまま反射して人体に戻されるので、冬は暖かい環境を作る事ができるが、夏場は暑さを感じる事もある。このような観点及び利便性の向上の観点から、机下反射パネル５は、必要時だけ使用し、不要時は保管することが出来る折り畳み式でもある。このため、机の下から容易に撤去することや狭いスペースに収納することが可能となっている。
【００４６】
木製、樹脂製又は金属製の部材５ａは、無垢材又はパイプ材等の指定はないが、高反射率の素材２を取り付ける面はフラットであることが好ましい。樹脂製ボードは、高反射率の素材２をその片面又は両面に取り付けるためのボードであり、特に材質や厚み等指定はないが、軽量で強度があるものが好ましく、断熱パネルやプラスチックダンボール等がより好ましい。
【００４７】
〔第３実施形態〕
次に、本発明の輻射熱反射構造１の第３実施形態を図４及び図５に基づいて詳細に説明する。図４は、第３実施形態に係る輻射熱反射構造１の斜視図、図５は、第３実施形態に係る輻射熱反射構造における背面反射パネル６の他の例を示す斜視図である。
【００４８】
＜輻射熱反射構造１＞
図４に示すように、本輻射熱反射構造１は、椅子１０の周辺、すなわち椅子１０に座る人間を囲むように椅子１０の左右側及び後側に衝立となる背面反射パネル６を設け、この背面反射パネル６の片面（又は両面）に高反射率の素材２が取り付けられる。なお、それ以外は上記実施形態と同様の構造である。
【００４９】
ここで、人間が椅子１０に座った状態で、椅子１０の周囲全体に背面反射パネル６を設置する。そうすると、頭部以外の身体は、机の下側に取り付けられた机下反射パネル５、床面１１に取付けられた高反射率の素材２、及び背面反射パネル６によって囲まれた状況となる。
【００５０】
その結果、腰から下の下半身においては、体から無方向に放射された輻射熱がこの空間で縦横無尽に移動し、再び人体に照射されるので下半身は保温された状態になる。また、腰から首位までの上半身においては、その上半身の正面以外は高反射率の素材２が取り付けられた背面反射パネル６で周囲を囲まれている。そのため、人体から放射される輻射熱は再び体に戻されるので、上半身に寒気は無い。
【００５１】
そして、室内が低温の場合、室内の僅かな空気の移動でも肌寒さを感じるが、背面反射パネル６はこのような僅かな空気をも阻止する働きをする。一方、頭部から放射される輻射熱は、そのまま遠方に放射され、再び頭部に戻ることはないので、頭部は涼しくスッキリ感がある。
【００５２】
更に、床面１１には暖房装置４が設置してある。その暖房装置４から周囲の空気に伝達された熱はやがて緩やかな対流熱となる。そして、椅子１０の周囲に取り付けられた背面反射パネル６の煙突効果も相まって身体の周囲をゆっくり上昇させて、これが上半身の寒さを和らげるのでほのかな暖かさを全身で感じる事が出来る。
【００５３】
以上のように、本輻射熱反射構造１はこのような構造であるため、頭部以外の身体全体を暖かく感じさせることができ、適正な頭寒足熱の環境を実現させることができる。
【００５４】
＜背面反射パネル６＞
背面反射パネル６は、樹脂製ボード又は木製、樹脂製若しくは金属製の部材５ａのいずれかで作製された躯体の片面又は両面に高反射率の素材２を取り付けられたパネルである。
【００５５】
椅子１０の周囲には、高反射率の素材２を取り付けるための壁面が無いのが通常である。そのため、樹脂製ボード又は木製、樹脂製若しくは金属製の部材５ａで躯体を作成し、樹脂製ボード又は躯体の片面又は両面に高反射率の素材２を取り付けて背面反射パネル６が形成される。
【００５６】
ここで、樹脂製ボード又躯体の片面にのみ高反射率の素材２を取り付ける場合、図４に示すように、高反射率の素材２を樹脂製ボード又は躯体の人体側（椅子側）の面に取付けることが特に重要であることは前述した通りである。
【００５７】
背面反射パネル６は、座る人間を囲む為に一体型のコの字状になっているが、例えば、図５に示すように、３分割にして両端のパネルがドアのように前後に開閉でき、動く構造としてもよい。
【００５８】
椅子１０の外周部全体の長さは、椅子１０の大きさにもよるが、人間が椅子１０に座った時、背面反射パネル６の机９側の端面が机にぴったり接触する寸法が好ましい。
【００５９】
背面反射パネル６の椅子１０側に、背面反射パネル６を簡単に取り付けられる取り付け具があると椅子１０と背面反射パネル６が一体構造となり、椅子２の移動が非常に楽である。
【００６０】
〔第４実施形態〕
次に、本発明の輻射熱反射構造１の第４実施形態を図６に基づいて詳細に説明する。図６は、第４実施形態に係る輻射熱反射構造の斜視図である。
【００６１】
＜輻射熱反射構造１＞
図６に示すように、本輻射熱反射構造１は、高反射率の素材２に空気を取り込むための吸気孔７を設けた構造となっている。なお、それ以外は上記実施形態と同様の構造である。
【００６２】
＜吸気孔７＞
窓状の吸気孔７は、机下反射パネル５における前側のパネルの高反射率の素材２に形成されたものであり、空気を取り込むための孔である。
【００６３】
前述したように机下反射パネル５には、高反射率の素材２で構成されているが、原則、その高反射率の素材２は空気を通さない。従って、机下反射パネル５内に設置された暖房設備４から近隣の空気に伝達されることによって発生する僅かな対流熱は、机９の下側から上昇する。すると、周囲の隙間から外部の冷たい空気は足元付近に侵入してくるが、往々にしてこの空気は人体に寒さを感じさせることがある。
【００６４】
そこで、暖房設備４のある前側に前述のように小さな吸気孔７を設けて、机９の下側に僅かな空気を取り込むことにより、空気の流れを整流化させる。これによって、足元から体の上側に向かってゆっくりしたほのかに暖かい上昇気流を作ることできる。
【００６５】
また、机下反射パネル５内が暑い場合、暖房設備を止め、吸気孔７を少し大きく開けばより多くの対流が発生するので足元が涼しく感じられる。
【００６６】
〔第５実施形態〕
次に、本発明の輻射熱反射構造１の第５実施形態を図７に基づいて詳細に説明する。図７は、第５実施形態に係る輻射熱反射構造における床反射シート８の断面図である。
【００６７】
本輻射熱反射構造１は、机９及び椅子１０に対する床面１１に直貼りで取付けられた高反射率の素材２の表面に人工芝又はカーペット１２を積層させた床反射シート８を備えた構造となっている。なお、それ以外は上記実施形態と同様の構造である。
【００６８】
＜床反射シート８＞
図７に示すように、床反射シート８は、床面１１に直貼りで敷き詰められた高反射率の素材２の上側の面（人体側の面）に人工芝又はカーペット１２を積層させたシートである。高反射率の素材２は薄い金属で出来ており、その上を椅子のキャスターが何度も動くと高反射率の素材２に剪断力や摩擦力が働き、忽ち破損してしまう。そこで、高反射率の素材２の上側に、人工芝又はカーペット１２を積層することによりその破損を防止している。
【００６９】
本発明は、身体から放射される輻射熱を高反射率の素材２にて反射させるのがその目的であるので、人工芝又はカーペット１２は輻射熱をより多く透過させる素材であることが必要である。従って、人工芝又はカーペット１２の中でも、特に、床反射シート８は、ニードルパンチ等の薄手のカーペット又はゴムが裏打ちしていない目の粗い人工芝等とすることがより好ましい。
【００７０】
〔第６実施形態〕
次に、本発明の輻射熱反射構造１の第６実施形態を図８及び図９に基づいて詳細に説明する。図８は、第６実施形態に係る輻射熱反射構造における第１の背面反射パネル６の断面図、図９は、第６実施形態に係る輻射熱反射構造における第２の背面反射パネル６の断面図である。
【００７１】
本輻射熱反射構造１は、机下反射パネル５又は背面反射パネル６における高反射率の素材２の表面に、プリント層又はビニールクロス等の内装材１３が積層された構造となっている。なお、それ以外は上記実施形態と同様の構造である。
【００７２】
前述したように、高反射率の素材２は金属製で、輻射熱に対する反射率が９５パーセント以上と非常に高い。従って、これらのパネルを太陽光の入る窓辺で使用すると、太陽光を反射して周囲の人間や動物等の目を傷める結果となる。そのため、高反射率の素材２は、金属そのものの外観になるので、本発明の様に室内で使用される場合は敬遠されることがある。
【００７３】
そこで、図８に示すように、背面反射パネル６では、木製、樹脂製又は金属製の部材５ｂで作製された躯体の前側の面（椅子側の面）に高反射率の素材２を、その反対側である後側の面にビニールクロス等内装材１３を取り付ける。
【００７４】
また、図９に示すように、高反射率の素材２の前側の面、つまり、高反射率の素材２上にプリント層又はビニールクロス等内装材１３を積層してもよい。このような構造とすれば、各人思い思いの絵柄を装飾でき、室内環境を大きく変える事が出来るからである。なお、樹脂製ボードでも上記構造と同様の構造とすることは勿論可能である。
【００７５】
次に、本実施形態に係る輻射熱反射構造の実証実験について説明する。
[遮熱試験１]
３階建ての３階にある１０畳の勉強部屋で、エアコンを全く使わず以下の試験を人間が椅子に座った状態で、ほぼ毎夜３〜５時間程度、冬季約１か月にわたり実施した。
【００７６】
机の下側に形成される足挿入部の上側、前側、及び左右側の４面に、直接両面テープで高反射率の素材を貼った。床面には、机から椅子の床面にかけて高反射率の素材を直貼りで敷き詰めた。椅子の周囲には、背面反射パネルを用意した。
【００７７】
そして、背面反射パネルにおける躯体の前側の面（椅子側の面）に高反射率の素材２を両面テープで貼った。足元には、１５０ワットの遠赤外線ヒーターを１台設置した。高反射率の素材は、厚さが０．２ミリメートル、反射率が９８パーセントのアルミニウム箔を使用した。テスト時の室温は、５〜１０℃程度であった。
【００７８】
[結果１]
遠赤外線ヒーターをこまめに入り切りしたが、全くエアコンを使用せず勉強が出来た。使用者の声として、身体全体が暖かく寒さを感じさせなかったし、眠くもならなかったとの事であった。
【００７９】
[遮熱試験２]
人間が椅子に座った状態の部屋の中で、朝７時からエアコンをつけず１５０ワットの電気ヒーター１台を机下反射パネル内に設置して温度を測定した。
【００８０】
机の下側に形成される足挿入部内には、躯体の後側の面（足側の面）に高反射率の素材が取付けられた机下反射パネルを設置した。床面には、高反射率の素材の上側に人工芝が積層された床反射シートを敷き詰めた。椅子の左右側及び後側に高反射率の素材で構成された背面反射パネルを設置した。足元には、１５０ワットの遠赤外線ヒーターを１台設置した。高反射率の素材は、厚さが０．１ミリメートル、反射率が９８パーセントのアルミニウム箔を使用した。テスト時の室温は、１３℃程度であった。
【００８１】
このような状態で次の測定点で温度を観測した。
【００８２】
測定点（１）は、机下反射パネル内に設置された電気ヒーターの横であって地上１５ｃｍの地点の足元温度、測定点（２）は、机下反射パネル内であって、膝上３ｃｍの地点の机下温度、測定点（３）は、椅子の後側であって地上１ｍの地点の背温度、測定点（４）は、輻射熱反射構造外における地上１ｍの地点の室内温度である。
【００８３】
[結果１]
【表１】
2018114191.tif 000003
【表２】
2018114191.tif 000004
【００８４】
[考察１]
（１）僅か１５０Ｗの電気ヒーターであるが、机の下側は２５〜３０℃にもなり、暑いくらいである。
（２）電気使用料は、１日つかっても以下の金額である。
０．１５ＫＷ×９時間×２０円／ＫＷ＝２７円／人
（３）椅子の背面の温度も１７〜１８℃となり、寒さを感じなかった。
【００８５】
[遮熱試験３]
２３℃の室内に高さ５ｃｍ、幅と奥行きが３０ｃｍのコンクリートブロックを設置した。このコンクリートブロックの表面に、（１）コンクリートブロックそのままの状態、（２）コンクリートブロックの表面に高反射率の素材２を貼り、更にその上に人工芝を積層した状態、及び（３）コンクリートブロックの表面に高反射率の素材２を貼った状態を形成した。そして、これらの表面温度をサーモグラフィーで温度を測定した。反射率の素材は、厚み０．１ミリメートルで反射率９８パーセントのアルミニウム箔を使用した。
【００８６】
[結果２]
(１)コンクリートそのまま：１８．５℃
(２)コンクリート＋高反射率の素材２０．２ｍｍ＋人工芝５ｍｍ：２１．０℃
(３)コンクリート＋高反射率の素材２０．２ｍｍ：２２．７℃
【００８７】
［考察２］
（１）コンクリート表面１８．５℃に高反射率の素材２０．２ｍｍを貼ることにより、高反射率の素材２の表面温度が室温に近い２２．７℃と４．２℃も上昇する事が解る。
（２）高反射率の素材２０．２ｍｍの上に人工芝５ｍｍを敷くと、表面温度は２１．０℃となり高反射率の素材２そのものより１．７℃下がるが、コンクリート素地よりも２．５℃も上昇する事が解る。
（３）この試験は、暖房した室内での床の表面温度測定で、室内の空気伝導熱、対流熱、輻射熱のすべての影響をうけているが、少なくとも高反射率の素材２を用いれば暖かい環境になる事はこの結果から読み取れる。
（４）しかし、床に直接接触するのは足の裏側であり、体温３６．５℃がコンクリート表面１８．５℃に伝導熱の形態をとって伝達される。この伝導熱を阻止するには、高反射率の素材直接より厚みがる断熱性のあるものが良く、本試験では人工芝を貼ったものが足裏は暖かくなるとされた。
（５）このようなことから、コンクリートに直接接触する部分は断熱性が良いものを、それ以外は高反射率の素材の様な反射性能が良いものを環境に置くことが好ましい。しかし、足の位置は時間とともに移動するので、一般的には人工芝を床全体に敷き詰めることがより好ましいと考えられる。
【００８８】
[遮熱試験４]
２３℃の室内に高さ５ｃｍ、幅と奥行きが３０ｃｍのコンクリートブロックを設置した。このコンクリートブロックの表面に、（１）その半分はコンクリートブロックそのままの状態、（２）もう半分はコンクリートブロックの表面に高反射率の素材を貼り、更にその上に人工芝を積層した状態を形成した。この状態で、靴を履かずに両足をそれらに直接乗せた。即ち、右足をコンクリートブロック上に、左足を人工芝上に載せた。また、コンクリートブロック面にそれぞれ温度計を差し込んで、すなわち、右足裏とコンクリートブロックの間及びコンクリートブロックと高反射率の素材の間に温度計を挟んだ状態でサーモグラフィーにて温度を測定した。なお、反射率の素材は厚み０．１ミリメートルで反射率９８パーセントのアルミニウム箔を使用した。
【００８９】
[結果１]
【表３】
2018114191.tif 000005
【表４】
2018114191.tif 000006
【００９０】
［考察２］
（１）両者ともにコンクリートブロックに接触した状態で温度を測定しているが、高反射率の素材と人工芝を使用した方が約３℃低い。即ち、体温からコンクリートブロックに伝達される伝導熱が少ないことを意味する。
（２）足の位置は時間とともに移動するので、床には高反射率の素材と人工芝を併用したシートを床全体に敷き詰めることが好ましいとされる。
【００９１】
以上、本発明者によってなされた発明を実施形態に基づき具体的に説明したが、本発明は上記実施形態に限定されるものではなく、その要旨を逸脱しない範囲で種々変更可能であることは言うまでもない。
【符号の説明】
【００９２】
１      輻射熱反射構造
２      高反射率の素材
３      足挿入部
４      暖房装置
５      机下反射パネル
５ａ    木製、樹脂製又は金属製の部材
６      背面反射パネル
７      吸気孔
８      床反射シート
９      机
１０    椅子
１１    床面
１２    人工芝又はカーペット
１３    プリント層又はビニールクロス等内装材
【図１】
2018114191.tif 000007
【図２】
2018114191.tif 000008
【図３】
2018114191.tif 000009
【図４】
2018114191.tif 000010
【図５】
2018114191.tif 000011
【図６】
2018114191.tif 000012
【図７】
2018114191.tif 000013
【図８】
2018114191.tif 000014
【図９】
2018114191.tif 000015
【手続補正書】
【提出日】平成29年4月14日(2017.4.14)
【手続補正１】
【補正対象書類名】明細書
【補正対象項目名】００１３
【補正方法】変更
【補正の内容】
【００１３】
本発明は、輻射熱を反射させることにより身体を暖める輻射熱反射構造であって、
机及び椅子に対する床面並びに当該机の下側に形成される足挿入部にアルミホイル等輻射熱に対して高反射率の素材を取付けると共に、当該足挿入部内に暖房装置を備え、前記椅子の左右側及び後側並びに前記床面上に人間が椅子に座った状態で首までの高さがあるコの字状の片面又は両面に前記アルミホイル等輻射熱に対して高反射率の素材を用いた背面反射パネルを設けることにより、前記床面、前記足挿入部、及び前記背面反射パネルに取付けられた前記アルミホイル等輻射熱に対して高反射率の素材によって頭部及び上半身の正面以外の身体が囲まれることを特徴とする。
【手続補正２】
【補正対象書類名】明細書
【補正対象項目名】００１４
【補正方法】変更
【補正の内容】
【００１４】
また、本発明は、輻射熱を反射させることにより身体を暖める輻射熱反射構造であって、机及び椅子に対する床面にアルミホイル等輻射熱に対して高反射率の素材を取り付け、当該机の下側に形成される足挿入部内には、暖房装置及び当該アルミホイル等輻射熱に対して高反射率の素材が片面又は両面に取付けられたパネルを用いて形成された机下反射パネルが設置され、当該机下反射パネル内に前記暖房装置を備えると共に、前記机下反射パネルである前側のパネルの下側で、前記暖房設備の前側に空気を取り込むための吸気孔を設け、前記椅子の左右側及び後側並びに前記床面上に人間が椅子に座った状態で首までの高さがあるコの字状の片面又は両面に前記アルミホイル等輻射熱に対して高反射率の素材を用いた背面反射パネルを設けることにより、前記床面、前記机下反射パネル、及び前記背面反射パネルに取付けられた前記アルミホイル等輻射熱に対して高反射率の素材よって頭部及び上半身の正面以外の身体が囲まれることを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１８
【補正方法】変更
【補正の内容】
【００１８】
また、本発明は、前記机下反射パネルには、プリント層又はビニールクロス等内装材を備えたことを特徴とする。更に、本発明は、前記背面反射パネルには、プリント層又はビニールクロス等内装材を備えたことを特徴とする。
【手続補正５】
【補正対象書類名】特許請求の範囲
【補正対象項目名】全文
【補正方法】変更
【補正の内容】
【特許請求の範囲】
【請求項１】
輻射熱を反射させることにより身体を暖める輻射熱反射構造であって、
机及び椅子に対する床面並びに当該机の下側に形成される足挿入部にアルミホイル等輻射熱に対して高反射率の素材を取付けると共に、当該足挿入部内に暖房装置を備え、前記椅子の左右側及び後側並びに前記床面上に人間が椅子に座った状態で首までの高さがあるコの字状の片面又は両面に前記アルミホイル等輻射熱に対して高反射率の素材を用いた背面反射パネルを設けることにより、前記床面、前記足挿入部、及び前記背面反射パネルによって頭部及び上半身の正面以外の身体が囲まれることを特徴とする輻射熱反射構造。
【請求項２】
輻射熱を反射させることにより身体を暖める輻射熱反射構造であって、
机及び椅子に対する床面にアルミホイル等輻射熱に対して高反射率の素材を取り付け、当該机の下側に形成される足挿入部内には、暖房装置及び当該アルミホイル等輻射熱に対して高反射率の素材が片面又は両面に取付けられたパネルを用いて形成された机下反射パネルが設置されると共に、当該机下反射パネル内に前記暖房装置及び前記机下反射パネルにおける前側パネルの下側、かつ、前記暖房設備の前側に空気を取り込むための吸気孔を備え、前記椅子の左右側及び後側並びに前記床面上に人間が椅子に座った状態で首までの高さがあるコの字状の片面又は両面に前記アルミホイル等輻射熱に対して高反射率の素材を用いた背面反射パネルを設けることにより、前記床面、前記机下反射パネル、及び前記背面反射パネルによって頭部及び上半身の正面以外の身体が囲まれることを特徴とする輻射熱反射構造。
【請求項３】
前記アルミホイル等輻射熱に対して高反射率の素材には、空気を取り込むための吸気孔を備えたことを特徴とする請求項１に記載の輻射熱反射構造。
【請求項４】
前記床面に取付けられた前記アルミホイル等輻射熱に対して高反射率の素材は、人工芝又はカーペットが積層された床反射シートであることを特徴とする請求項１又は２に記載の輻射熱反射構造。
【請求項５】
前記机下反射パネルには、プリント層又はビニールクロス等内装材を備えたことを特徴とする請求項２に記載の輻射熱反射構造。
【請求項６】
前記背面反射パネルには、プリント層又はビニールクロス等内装材を備えたことを特徴とする請求項１又は２に記載の輻射熱反射構造。